(57)【要約】      （修正有）【課題】肩に力が加わらず、体重のかけ方を調整することにより頚椎と脊椎を容易に牽引することができ、更に容易に逆立ちもできる頚椎および脊椎の牽引装置を提供する。【解決手段】スタンド３の上部前方に頚部支持アーム４を突設し、この頚部支持アーム４の上部に、平面Ｃ形状のクッション６を水平に取付けて、前記クッション６に頚部１２を挿入して体重をかけることにより頚椎１２と脊椎を牽引するようにしたものである。【選択図】図３
0003119728.tif 000002
【実用新案登録請求の範囲】
【請求項１】
スタンドの前方に頚部支持アームを上下動自在に突設し、この頚部支持アームの上部に、平面Ｃ形状のクッションを水平に取付けて、前記クッションに頚部を挿入して体重をかけることにより頚椎と脊椎を牽引するようにしたことを特徴とする頚椎および脊椎の牽引装置。
【請求項２】
請求項１の頚椎および脊椎の牽引装置に、更にスタンドの上部後方に足掛けアームを突設し、この足掛けアームに両足を掛けて逆立ちするようにしたことを特徴とする頚椎および脊椎の牽引装置。
【考案の詳細な説明】
【技術分野】
【０００１】
本考案は、頚椎および脊椎の牽引装置に関するものである。
【背景技術】
【０００２】
鞭打ち症などの原因により、肩凝りや首の凝りを治療するために病院に行って、頚椎を牽引することが行なわれている。この装置は、椅子に座った状態で顎に皮ベルトを取付けて牽引するものである。しかしながら、これは装置が大掛かりで、高価であり、また通院や治療待ちに時間がかかる問題があった。このため家庭でも使用できるように、平面Ｃ形状の伸縮自在のクッションを頚部に取付けて、チューブ内に空気を供給して膨らませ、頭部と肩部の間隔を広げることにより頚椎を牽引する装置（特許文献１）が市販されている。
【０００３】
しかしながら、このクッションを用いた装置は、頚部に取付けたクッションに空気を供給して膨らませると、顎部と肩部の間隔が広がって顎部と肩部に圧力が加わり痛くなる欠点があった。またこれは顎部と肩部の間隔を広げるだけなので脊椎を牽引することができなかった。
【特許文献１】特開平１１ー９６２０
【考案の開示】
【考案が解決しようとする課題】
【０００４】
本考案は上記問題を改善し、肩に力が加わらず、体重のかけ方を調整することにより頚椎と脊椎を容易に牽引することができ、更に安定して逆立ちもできる頚椎および脊椎の牽引装置を提供するものである。
【課題を解決するための手段】
【０００５】
本考案の請求項１記載の頚椎および脊椎の牽引装置は、スタンドの前方に頚部支持アームを上下動自在に突設し、この頚部支持アームの上部に、平面Ｃ形状のクッションを水平に取付けて、前記クッションに頚部を挿入して体重をかけることにより頚椎と脊椎を牽引するようにしたことを特徴とするものである。
【０００６】
また請求項２記載の頚椎および脊椎の牽引装置は、請求項１の頚椎および脊椎の牽引装置に、更にスタンドの上部後方に足掛けアームを突設し、この足掛けアームに両足を掛けて逆立ちするようにしたことを特徴とするものである。
【考案の効果】
【０００７】
本考案に係る請求項１記載の頚椎および脊椎の牽引装置によれば、スタンドの前に腰を下ろして前向きに座って、頚部にクッションを取付けてから、腰を下げると体重が加わって頭部がクッションで吊下げられた状態となって、頚椎と脊椎が牽引され、肩凝りや首の凝りが家庭や職場でも簡単に治療することができる。また頭部を支持して体重を支えるクッションは軟質で、顎で体重を受けても肩が痛くならず、また牽引する力は加える体重を調整することにより簡単に調整することができる。
【０００８】
また請求項２記載の頚椎および脊椎の牽引装置によれば、スタンドの上部後方に足掛けアームを突設し、この足掛けアームに両足を掛けて逆立ちするようにしたので、頚椎と脊椎の牽引に加えて、逆立ちすることにより、血行不良や、便秘、胃下垂、疲労回復などに効果が得られる。
【考案を実施するための最良の形態】
【０００９】
以下本考案の実施の一形態を図１ないし図３を参照して詳細に説明する。図において１は頚椎および脊椎の牽引装置を示すもので、パイプを組み合わせて形成したベース２の上に、パイプを組み合わせて梯子状に形成したスタンド３が立設されている。パイプで形成された左右の突出部４ａ、４ｂと連結部４ｃを平面コ字形に組み合わせた頚部支持アーム４が、スタンド３の上部側に上下動自在に挿着されて、左右の突出部４ａ，４ｂが前方に水平に突設されている。
【００１０】
またスタンド３には頚部支持アーム４の下部を支持するストッパー５が取付けられ頚部支持アーム４の取付け高さを調整できるようになっている。６は軟質な発泡プラスチックで形成されたクッションで、前面に頚部挿入口７を開口した平面Ｃ形状に形成されている。この平面Ｃ形状に形成されたクッション６の左右の底面には布で形成したＵ字形の通し筒８、８が取付けられていると共に、背面側底面に面ファスナー９が取付けられている。前記通し筒８、８に頚部支持アーム４の左右の突出部４ａ，４ｂを通し、背面側の面ファスナー９を連結部４ｃに掛け廻して接着し、クッション６を頚部支持アーム４に固定する。
【００１１】
次に上記構成をなす頚椎および脊椎の牽引装置１の使用方法について説明する。先ず、ストッパー５を緩めて、頚部支持アーム４の高さを調整してから、ストッパー５を固定する。次に図３に示すように、使用者１１は床の上に腰を下ろして前向きに座ってから、腰を浮かせた状態で、クッション６の頚部挿入口７から頚部１２を差し込む。次に腰を下げると体重がクッション６で支えられて頭部１３がクッション６で支持された状態となる。この結果、頭部１３の重みにより圧迫されていた頚椎と脊椎が体重により牽引されて伸びる。また腰の位置を上下に調整することにより牽引する力を調整することができる。
【００１２】
この結果、鞭打ち症などの原因による肩凝りや首の凝りが家庭でも簡単に治療することができる。また頭部１３を支持して体重を支えるクッション６は軟質な発泡プラスチックで形成されているので、顎全体で体重を受けて肩には力が加わらず痛くない。また牽引する力は使用者１１の体重を加えるので、機械的な牽引装置も不要である。
【００１３】
図４ないし図６は本考案の他の実施の形態を示すもので、パイプを組み合わせて形成したベース２の上に、パイプを組み合わせて梯子状に形成したスタンド３が立設されている。更にスタンド３の背面側には図５に示すようにパイプで形成された補強ステー１５が斜めに取付けられている。
【００１４】
スタンド３の中間には連結部４ｃが上下動自在に取付けられ、更にこの上にパイプで形成された左右の突出部４ａ、４ｂが上下動および回動自在に取付けられ、平面コ字形の頚部支持アーム４が形成されている。また、スタンド３の上部側に上下自在に挿着されて、左右の突出部４ａ、４ｂが前方に水平に突設されている。この左右の突出部４ａ、４ｂの上には平面Ｃ形状に形成されたクッション６が取付けられている。
【００１５】
またスタンド３には連結部４ｃの下部を支持するストッパー５が取付けられ頚部支持アーム４の取付け高さを調整できるようになっている。更にこの上方のスタンド３には図４に示すように足掛けアーム１６が上下動自在に取付けられ、スタンド３の左右両側に水平に突設されている。またスタンド３にはこの足掛けアーム１６の下部を支持するストッパー５が取付けられ、足掛けアーム１６の取付け高さを調整できるようになっている。
【００１６】
次に上記構成をなす頚椎および脊椎の牽引装置１の使用方法について説明する。使用者１１がクッション６の頚部挿入口７から頚部１２を差し込んで体重を掛けると頭部１３がクッション６で支持され、頚椎と脊椎が体重により牽引されることは、前記説明と同様である。
【００１７】
使用者１１が逆立ちする場合には、図６に示すように、突出部４ａ、４ｂを後方に回転させてから、ベース２を手で支えて逆立ちし、足１７を足掛けアーム１６に掛けて、ここで体重を支えた状態で逆立ちする。
【００１８】
このように足掛けアーム１６に足１７を掛けて、ここで体重を支えた状態で逆立ちするので安定して長時間逆立ちすることができる。逆立ちすることにより、血行不良や、便秘、胃下垂、疲労回復などに効果が得られる。
【００１９】
なお上記説明では平面Ｃ形状のクッション６を軟質な発泡プラスチックで形成した場合について説明したが、エアークッションで形成したものでも良い。
【図面の簡単な説明】
【００２０】
【図１】本考案の実施の一形態による頚椎および脊椎の牽引装置を示す正面図である。
【図２】図１の頚椎および脊椎の牽引装置を示す側面図である。
【図３】本考案の牽引装置を使用している状態を示す側面図である。
【図４】本考案の他の実施の形態による頚椎および脊椎の牽引装置を示す正面図である。
【図５】図４の頚椎および脊椎の牽引装置を示す側面図である。
【図６】図４の頚椎および脊椎の牽引装置を使用して逆立ちしている状態を示す側面図である。
【符号の説明】
【００２１】
１    頚椎および脊椎の牽引装置                                          ２    ベース                                                
３    スタンド                                              
４    頚部支持アーム                                        
４ａ、４ｂ  突出部                                          
４ｃ  連結部                                                
５    ストッパー                                            
６    クッション                                            
７    頚部挿入口                                            
８    通し筒                                                
９    面ファスナー                                          
１１  使用者                                                
１２  頚部                                                  
１３  頭部                                        
１５  補強ステー                  
１６  足掛けアーム    
１７  足                      
【図１】
0003119728.tif 000003
【図２】
0003119728.tif 000004
【図３】
0003119728.tif 000005
【図４】
0003119728.tif 000006
【図５】
0003119728.tif 000007
【図６】
0003119728.tif 000008